(57)【要約】【課題】本発明は、床材の交換におけるコストの削減と使用目的に応じて、床材の模様替えが容易にでき、コストをおさえた床材に貼付される再生可能なシートを提供する。上記の欠点を解消することを目的とするものである。【解決手段】本発明は、再生可能な透明フィルムを特定の寸法に加工し、外周寸法からなる内周寸法裏面に印刷を設け、フィルムの外周寸法から特定の内周寸法に折りすじを設け、フィルムの外周寸法の四隅から内周寸法の四隅方向に切り込みを設け、切り込みからの非印刷部分に粘着加工を施し、加工を施されたフロアーシートを任意の枚数で積層したことを特徴としたフロアーマット提供することで課題を解決する手段として発明されたものである。【選択図】    図５
2004183453.tif 000002
【特許請求の範囲】
【請求項１】
再生可能な透明フィルム等を四角形に形成し、さらに特定の外周寸法と外周から縮小された内周寸法、裏面に印刷及び表面方向から裏面方向に向かい折りすじ加工を設け、フィルムの外周寸法の四隅から内周寸法の四隅方向に切り込みを設け、フィルムの内周寸法から外周寸法の切り込みからなる非印刷部分裏面に粘着加工を施し、外周寸法から内周寸法の切り込み粘着部分をフロアーマットに折り込み粘着固定貼付されることを特徴としたフロアーマット貼付シート。
【請求項２】
再生可能な透明フィルム等を四角形に形成し、さらに特定の外周寸法と外周から縮小された内周寸法、裏面に印刷及び表面方向から裏面方向に向かい折りすじ加工を設け、フィルムの外周寸法の四隅から内周寸法の四隅方向に切り込みを設け、フィルムの内周寸法から外周寸法の切り込みからなる非印刷部分裏面に粘着加工を施し、外周寸法から内周寸法の切り込み粘着部分をフロアーマットに折り込み粘着固定貼付され加工を施されたフロアーシートを任意の枚数で積層し、積層された底面に粘着保護シートを設けたことを特徴とした請求項１記載のフロアーマット貼付シート。
【発明の詳細な説明】
【０００１】
【考案の属する技術分野】
本発明は、フロアーマットに貼付されるシートに関するものである。
【０００２】
【従来の技術】
従来、床材に直接印刷されるものがあったが、床材に直接印刷方法においては再利用ができず印刷を設けることにより、床材のコストが高い床材となっていた。（特許文献１参照）
また、他の方法として剛板の載置作業効率の目的で床構造に使用されるシート材があるが、これはシート材に印刷を設けたものでなく、また、床材に貼付されるシート材の全面に粘着剤が使用されることからシート材の作業が困難でコストが高いものとなっていた。（特許文献２参照）
また他の方法として、床材にシート材を積載して通気性効果を発揮する目的で使用される方法がみられるが、これも再利用ができず印刷を設けたものでなく床材にシート材を積載することで、シート材の作業が困難でコストが高いものとなっていた。（特許文献３参照）
【０００３】
【特許文献１】
特開平５−２８０１８２号公報
【特許文献２】
特開平５−２４８０７１号公報
【特許文献３】
特開平５−１１１９８２号公報
【０００４】
【発明が解決しようする課題】
本発明は、床材の交換におけるコストの削減と使用目的に応じて、床材の模様替えが容易にでき、コストをおさえた床材に貼付される再生可能なシートを提供する。上記の欠点を解消することを目的とするものである。
【０００５】
【課題を解決するための手段】
本発明は、図５に示すよう再生可能な透明フィルム、フロアーシート（１０）を特定の形状として四角形に形成し、さらに特定の寸法に加工し、前記フィルムの特定の外周より縮小された内周寸法シート裏面（１０４）に印刷（１０５）を設け、フィルムの内周寸法表面から裏面方向に折りすじを設け、フィルムの外周寸法の四隅から内周寸法の四隅方向に切り込み（１０２ａ．ｂ．ｃ．ｄ）を設け、フィルムの特定内周寸法から特定外周寸法の切り込み（１０２ａ．ｂ．ｃ．ｄ）からの非印刷部分に粘着加工（１０３．ａ．ｂ．ｃ．ｄ）を施し、前記加工を施された図７に示すフロアーシートを任意の枚数で積層し、積層された底面に粘着保護シート（３０）を設けたことを特徴としたフロアーマット貼付シートを提供する。以上、課題を解決する手段として発明されたものである。
【０００６】
【発明の実施の形態】
以下、本発明の実施の形態について図をもって説明する。
図１に示されているのは加工されるフロアーシート（１０）、シート表面（１０１）で、材質は再生可能な透明フィルムで、特にこのフィルムはペットボトルの再利用より加工されたフィルムでこれは、耐久性にすぐれ、防火ともに水をはじく性質からフロアーマットに使用する材質として適切な素材である。
フロアーマットは規定寸法として横５００ｍｍ×縦５００ｍｍとされ、フィルム内周寸法、印刷寸法横５００ｍｍ×縦５００ｍｍが設定され、フィルムの外周寸法、粘着部及び折り込み部として、約５０ｍｍを設ける。
従ってフロアーシート（１０）の構成はフィルム外周寸法横５５０ｍｍ×縦５５０ｍｍ、内周寸法５００ｍｍ×縦５００ｍｍで粘着部及び折り込み部として約５０ｍｍが設定され、フロアーマットに折り込み貼付されるためにフィルムの外周寸法の四隅から内周寸法の四隅方向、表面から裏面方向に向かい切り込み（１０２ａ．ｂ．ｃ．ｄ）が設けられた構成を示した図である。
図２に示されているのは、フロアーシート（１０）からなるシート裏印刷面（１０４）に印刷（１０５）を設け、さらに非印刷面に粘着加工（１０３ａ．ｂ．ｃ．ｄ）が施される。
従って、印刷（１０５）を設けられたシート裏印刷面（１０４）が、フロアーマット（２０１）の表面の接着面となることで、フロアーシート（１０）のシート裏印刷面（１０４）に設けられた印刷（１０５）はフロアーシート（１０）のフィルムが透明であることから裏面からの印刷が表面から目視できる。
これは、シート裏印刷面（１０４）に印刷（１０５）を設けることでフロアーマット（２０１）にフロアーシート（１０）を貼付した際、印刷（１０５）が表面でないために、ひとがフロアーマットの上面を歩行することで、印刷（１０５）が剥げることがない。
図３は、フロアーマット（２０１）、フロアーシート（１０）のシート裏印刷面（１０４）を示した構成図で、図３においては部分的な絵柄として魚の図で示しているが、フロアーシート（１０）の内周寸法の全面に印刷することも可能で、本発明に使用される印刷インクは特殊なインクで、粘着性質の効果のあるインクが使用されていることで、フロアーマット（２０１）を貼付する際、フロアーシート（１０）は前記粘着効果のインクにより密着され、非印刷面に粘着加工（１０３ａ．ｂ．ｃ．ｄ）が施され本発明が構成される。
図４に示されているのは、図３における断面の構成図で上方からフロアーシート（１０）印刷（１０５）、印刷面に粘着加工（１０３ａ．ｂ．ｃ．ｄ）が施される状態の構成断面図である。
図５はフロアーシート（１０）裏面に印刷（１０５）が設けられ、非印刷面に粘着加工（１０３ａ．ｂ．ｃ．ｄ）、表面から裏面方向に向かい折り込み及び切り込み（１０２ａ．ｂ．ｃ．ｄ）が設けられ、フロアーマット（２０１）に貼付され実施の形態の図を示したものである。
図６に示されているのは、図５における断面からの構成図でフロアーマットに折り込み貼付されるためにフィルムの外周寸法の四隅から内周寸法方向に切り込み（１０２ａ．ｂｃ．ｄ）よりフロアーマット（２０１）に折り込み固定されている状態を示した図である。
図７は、印刷、切り込み、粘着加工を施したフロアーシート（１０）を容易に保管できる目的で積載する方法を示した図で、本図面においてはそれぞれ異なった印刷された絵柄で示されいるが、目的と用途に適応して同じ絵柄の積載や任意の枚数で積載されることが可能で、また、ミシン等の加工を設けてロール状にて加工保存することも可能である。
図８に示されているのは、図７における断面からの構成図で上方からフロアーシート（１０）Ａ、粘着加工（１０３ｂ．ｄ）、フロアーシート（１０）Ｂ、粘着加工（１０３ｂ．ｄ）、フロアーシート（１０）Ｃ、粘着加工（１０３ｂ．ｄ）、粘着保護シート（３０）の順で積載された状態の断面図を示したものである。以上からなる構成で本発明のフロアー貼付シートは以下のように実施される。
従来の印刷を設けた特殊なフロアーマットは、直接フロアーマットに印刷を設け使用されているが印刷技術にともないコストが割高になっていた。
本発明は印刷を設けたフロアーマットを低コストで提供することにある。
それは、イベント等に使用される会場の色印刷された本発明フロアー貼付シートを用いることで会場内のスペースにおける識別として活用され、フロアーシートに宣伝広告を印刷することで宣伝効果は発揮される。
前記のフロアーシートに宣伝広告印刷し使用される活用範囲用途は広域である。例えば、コンビニエンスストアーおいては宣伝広告印刷フロアーシートを使用することで主力商品の効果が望め、また、低コストであることから宣伝内容を変更したフロアーシートを定期的に容易に提供することが可能で、本発明フロアー貼付シートのフィルム素材はペットボトルの再生利用により製造されたフィルムを使用する為、本発明で印刷され使用されたフィルムもリサイクルが可能とされる。
また、コンビニエンスストアーにおいてはフロアーの清掃が定期的に行われるが、本発明フロアー貼付シートを定期的に交換することで清掃が不要とされる。
前記にも記載したが、フロアーシートに宣伝広告印刷し使用される活用範囲用途は広域で、レストトラン、カラオケ、商品販売店等においても活用できるものである。以上が本発明のフロアー貼付シートの実施である。
【０００７】
【発明の効果】
本発明は従来の印刷を設けた特殊なフロアーマットは、直接フロアーマットに印刷を設け使用されているが印刷技術にともないコストが割高になっていたことで活用されることが少なかった。
印刷を設けた特殊なフロアーマットは一度使用された場合に、フロアーマットの交換作業は困難な状態であった。
本発明は印刷を設けたフロアーマットを低コストで提供することで上記の問題点は解決されその効果は発揮される。
本発明フロアー貼付シートのフィルム素材はペットボトルの再生利用により製造されたフィルムを使用する為、環境問題に対応した製品を提供できる。
また、イベント等に使用される会場の色印刷された本発明フロアーシートを用いることで会場内のスペースにおける識別として活用され、フロアーシートに宣伝広告を印刷することで宣伝効果は発揮される。
前記のフロアーシートに宣伝広告印刷し使用される活用範囲用途は広域で例えば、コンビニエンスストアー等おいては宣伝広告印刷フロアーシートを使用することで主力商品の宣伝効果が望め、また、低コストであることから宣伝内容を変更したフロアーシートを定期的に容易に提供することが可能で、本発明フロアー貼付シートのフィルム素材はペットボトルの再生利用により製造されたフィルムを使用する為、本発明で印刷され使用されたフィルムもリサイクルが可能とされる。
また、コンビニエンスストアーおいてはフロアーの清掃が定期的に行われるが、本発明フロアー貼付シートを定期的に交換することで清掃が不要とされる。
前記にも記載したが、フロアーシートに宣伝広告印刷し使用される活用範囲用途は広域で、レストトラン、カラオケ、商品販売店等においても活用できるものである。以上、発明の効果が発揮される。
【図面の簡単な説明】
【図１】本発明のフロアーシートにおけるフィルムの加工構成の図である。
【図２】本発明のフロアーシートのフィルムにおける印刷、粘着剤、切り込みの加工構成図である。
【図３】本発明のフロアーシートのフィルムにおける印刷、粘着剤、切り込みの分解加工構成図である。
【図４】本発明のフロアーシートのフィルムにおける印刷、粘着剤、切り込みの加工断面構成図である。
【図５】本発明のフロアーシートのフィルムをフロアーマットに貼付される実施の形態を示した図である。
【図６】本発明のフロアーシートのフィルムをフロアーマットに貼付される実施の形態を示した断面構成図である。
【図７】本発明のフロアーシートを保管する目的に用いられるフロアーシート積載構成図である。
【図８】本発明のフロアーシートを保管する目的に用いられるフロアーシート積載構成断面図である。
【符号の説明】
１０：フロアーシート
１０１：シート表面
１０２ａ．ｂ．ｃ．ｄ：切り込み
１０３ａ．ｂ．ｃ．ｄ：粘着加工
１０４：シート裏印刷面
１０５：印刷
２０：フロアーマット
２０１：フロアーマット表面
２０２：フロアーマット裏面
１０Ａ．Ｂ．Ｃ：フロアーシート
３０：粘着保護シート
【図１】
2004183453.tif 000003
【図２】
2004183453.tif 000004
【図３】
2004183453.tif 000005
【図４】
2004183453.tif 000006
【図５】
2004183453.tif 000007
【図６】
2004183453.tif 000008
【図７】
2004183453.tif 000009
【図８】
2004183453.tif 000010